(57)【要約】      （修正有）【課題】筐体内のプリント配線基板に、取り付け固定した筐体に加わる外力が極力加わらないように構成した電子装置を提供する。【解決手段】複数個の電子部品が電気的に接続されたプリント配線基板１５を、その基板面の複数個所で配線基板保持部１６に固定する。電子装置の筐体１２は、プリント配線基板１５が固定された配線基板保持部１６を収納する空間を有し、配線基板保持部１６を１箇所で固定するための固定用部１６２を備えると共に、固定用部１６２とは異なる位置で、プリント配線基板１５が固定された配線基板保持部１６を係止するための係止部材１２７Ｒ、１２８Ｒを備える。【選択図】図４
2008091423.tif 000002
【特許請求の範囲】
【請求項１】
複数個の電子部品が電気的に接続されたプリント配線基板と、
前記プリント配線基板が、その基板面の複数個所で固定される配線基板保持部と、
前記プリント配線基板が固定された前記配線基板保持部を収納する空間を有し、前記配線基板保持部を１箇所で固定するための固定用部を備えると共に、前記固定用部とは異なる位置で、前記プリント配線基板が固定された前記配線基板保持部を係止するための係止部材を備える筐体と、
からなり、
前記筐体は、所定の場所に取り付け固定するものであることを特徴とする電子装置。
【請求項２】
請求項１に記載の電子装置において、
前記プリント配線基板は、その長手方向の一側が前記配線基板保持部に固定されると共に、前記長手方向の他側は遊端とされ、
前記筐体の前記係止部材は、前記プリント配線基板の前記遊端を係止するものである
ことを特徴とする電子装置。
【請求項３】
請求項１または請求項２に記載の電子機器において、
前記筐体の、前記所定の場所に取り付け固定するための取り付け部は、前記プリント配線基板の短辺方向を挟む少なくとも２個の位置に形成されている
ことを特徴とする電子装置。
【請求項４】
請求項１〜請求項３のいずれかに記載の電子機器において、
前記筐体は、前記所定の場所に取り付け固定されたブラケット部材に取り付けられる
ことを特徴とする電子装置。
【発明の詳細な説明】
【技術分野】
【０００１】
この発明は、例えば、家屋やマンションなどの住戸の壁面に取り付けられて固定される無線通信装置として用いて好適な電子装置に関する。
【背景技術】
【０００２】
例えば、家屋やマンションなどの住戸などに設置されるプロパンガスの使用量を、ガスメータに接続された無線通信装置により電波を用いて検針センターに無線送信し、検針センター側では、受信した各住戸の使用量に基づいて、ガスボンベの補充や交換を適宜に行うことができるようにするシステムが提供されている。
【０００３】
この場合に、無線通信装置は、一般には、戸外に設置されるガスボンベの近傍のガスメータに接続されて、家屋やマンションなどの住戸の外壁面に固定されて取り付けられる。
【０００４】
関連する技術の特許文献は、次の通りである。
【特許文献１】特開２００５−３５３７２４号公報
【発明の開示】
【発明が解決しようとする課題】
【０００５】
ところで、上述の無線通信装置のような電子装置においては、筐体内にプリント配線基板が固定されて収納されている。このため、無線通信装置に筐体に対して、これを偏倚させるような外力が加わると、筐体内のプリント配線基板にも、これを偏倚させるような外力が加わる。
【０００６】
したがって、無線通信装置の筐体が、住戸の外壁面に取り付けられたとき、その取り付け状態によっては、当該筐体を偏倚させるような外力が加わると、恒常的に、筐体内のプリント配線基板に、これを偏倚させるような外力が加わり続ける。
【０００７】
このような状態において、プリント配線基板に加わる外力が、プリント配線基板に撓みを生じさせるような応力を発生させる場合には、プリント配線基板に電気的に接続されて配設されている電子部品自身や接続部分などにも同様の外力（応力）が加わり続け、これら電子部品自身や接続部分に不具合が生じるおそれがあった。
【０００８】
この発明は、以上の点にかんがみ、筐体内のプリント配線基板に、上述のような外力が極力加わらないように構成した電子装置を提供することを目的とする。
【課題を解決するための手段】
【０００９】
上記の課題を解決するために、この発明は、
複数個の電子部品が電気的に接続されたプリント配線基板と、
前記プリント配線基板が、その基板面の複数個所で固定される配線基板保持部と、
前記プリント配線基板が固定された前記配線基板保持部を収納する空間を有し、前記配線基板保持部を１箇所で固定するための固定用部を備えると共に、前記固定用部とは異なる位置で、前記プリント配線基板が固定された前記配線基板保持部を係止するための係止部材を備える筐体と、
からなり、
前記筐体は、所定の場所に取り付け固定するものであることを特徴とする電子装置を提供する。
【００１０】
上述の構成のこの発明によれば、プリント配線基板は、筐体に直接固定されるのではなく、配線基板保持部に固定され、このプリント配線基板保持部が、筐体に固定される。このため、筐体に加わる外力が直接にプリント配線基板に加わることが防止される。
【００１１】
そして、この発明においては、配線基板保持部は、固定用部により、筐体に対して１箇所で固定されると共に、係止部材により、他の箇所において、プリント配線基板を保持したプリント配線基板保持部を係止するように構成しているので、プリント配線基板に撓みを生じさせるような応力が加わりにくい構造となる。
【発明の効果】
【００１２】
この発明によれば、所定の場所に取り付け固定する電子装置において、筐体に外力が加わった場合においても、筐体内に配設したプリント配線基板には、撓みを発生させるような力が加わりにくくなり、プリント配線基板に配設されている電子部品自身や接続部分などに不具合が生じるのを防止することができる。
【発明を実施するための最良の形態】
【００１３】
以下、この発明による電子装置の実施形態を、前述したプロパンガスの検針システムに用いる無線通信装置に適用した場合を例に、図を参照しながら説明する。
【００１４】
図２は、プロパンガスの検針システムのシステム構成の概要を説明するためのブロック図である。この検針システムは、各住戸のプロパンガスの使用量を集中的に管理するための検針センター４と、各住戸のプロパンガスボンベ（図示を省略）からのプロパンバスの使用量を測定するガスメータ５にそれぞれ接続されて、各住戸に設置される無線通信装置１０の複数個と、それら複数個の無線通信装置１０からのガス使用量データを受け取って、例えば携帯電話網６を通じて検針センター４に送る検針データ送信親機７とを備えている。
【００１５】
検針データ送信親機７と各無線通信装置１０との間では、例えば４２９ＭＨｚの電波を用いて、例えば１００メートル程度の範囲内におけるデータ通信が可能とされている。検針データ送信親機７を中心とするデータ通信が可能となる範囲が限られているので、検針データ送信親機７に対して所定以上離れて、検針データ送信親機７と直接の無線通信が不能になるときには、中継機８が用いられて、無線通信装置１０からのガス使用量データが検針データ送信親機７に送信されるようにされている。
【００１６】
以上のように、この実施形態の無線通信装置１０は、比較的短距離の電波を用いた無線通信を行なうものであり、アンテナ１０Ａとしては、棒状アンテナが使用され、当該棒状アンテナが鉛直方向に配置される状態が最も送受信性能が高いものとされている。
【００１７】
したがって、無線通信装置１０は、各住戸のガスメータ４の近傍の壁面に、アンテナ１０Ａが鉛直方向を向くように取り付けられる。なお、ここで、無線通信装置１０が取り付けられる壁面は、住宅の屋外に面する外壁面のみならず、ガスメータが屋内に設置されている場合には、屋内の壁面の場合もあることは言うまでもない。
【００１８】
［電子装置の実施形態としての無線通信装置１０の説明］
図３は、無線通信装置１０の概観を説明するための図であり、図３（Ａ）は、無線通信装置１０を壁面２に取り付けたときに、壁面２に直交する方向から見た図であり、この明細書では、これを無線通信装置１０の正面図とする。図３（Ｂ）は、無線通信装置１０の側面図であり、図３（Ｃ）は、無線通信装置１０の底面図である。
【００１９】
そして、図１は、無線通信装置１０の各構成部品を説明するための図である。図１（Ａ）は、主として、無線通信装置１０の筐体構成部品を説明するための図である。また、図１（Ｂ）および図１（Ｃ）は、無線通信装置１０の筐体内部の回路構成部品１４を示す図であり、図１（Ｂ）は、その回路構成部品の側面図、図１（Ｃ）は、その回路構成部品を後述するプリント配線基板の裏側から見た図である。
【００２０】
また、図４は、図３（Ａ）におけるＡ−Ａ断面図である。また、図５（Ａ）は、後述する筐体カバー１３を外した状態において、無線通信装置１０の正面図であり、図５（Ｂ）は、図５（Ａ）におけるＢ−Ｂ断面図、図５（Ｃ）は、図５（Ａ）におけるＣ−Ｃ断面図である。
【００２１】
この実施形態の無線通信装置１０の筐体は、アンテナカバー部１１を除くと、方形の箱型形状をしており、図１（Ｂ），（Ｃ）に示す回路構成部品１４を、図１（Ａ）に示すように、内部に収容するような空間を備える筒状に構成された筐体本体１２と、筐体カバー１３とからなる。これら筐体本体１２と、筐体カバー１３と、さらには、アンテナカバー部１１は、この実施形態では、非磁性体である樹脂により構成されている。
【００２２】
アンテナカバー部１１は、アンテナ１０Ａをその内部に収納可能なように中空円錐台形状に形成されており、筐体本体１２に対して、一体的に接合されている。この場合に、アンテナカバー部１１の中空部が、筐体本体１２の内側空間と連通するように接合されている。筐体本体１２にアンテナカバー部１１が接合した筐体部品としては、防水および防塵処理の必要のない樹脂の一体物と同等の構成物となる。つまり、アンテナカバー部１１と、筐体本体１２との接合部には、パッキンやシールド部材は不要である。
【００２３】
図１（Ｂ），（Ｃ）に示すように、回路構成部品１４は、プリント配線基板１５と、例えば樹脂からなる配線基板保持部１６とからなる。プリント配線基板１５は、この例では、細長形状とされており、その長手方向の一側において、配線基板保持部１６に、例えばねじ４１，４２，４３によりねじ止めされて固定されている。なお、図においては、符号は付さなかったが、配線基板保持部１６には、ねじ４１，４２，４３がねじ込まれるボスが形成されている。
【００２４】
プリント配線基板１５上には、チップ・コンデンサーや、抵抗、ＩＣ（Integrated Circuit）など種々の電子部品１７ａ，１７ｂ，１７ｃなどが電気的に接続されて設けられている。プリント配線基板１５の配線基板保持部１６にねじ止め固定される側は、筐体カバー１３側とされており、この側のプリント配線基板１５上には、リード線接続端子部１８が設けられている。そして、このリード線接続端子部１８に接続されたリード線は、配線基板保持部１６のリード線導出部１６１を通じて外部に導出されるようにされる。
【００２５】
そして、配線基板保持部１６の、リード線導出部の近傍には、当該配線基板保持部１６を、筐体本体１２に筐体の背面側からねじ止め固定するための貫通孔１６２が、ボス状に形成されている。なお、この貫通孔１６２の形成位置は、配線基板保持部１６の短辺方向（配線基板保持部１６に固定されているプリント配線基板１５の短辺方向に等しい）の中央部とされている。
【００２６】
また、プリント配線基板１５の長手方向の、配線基板保持部１６に固定されていない側は、この例では、遊端とされている。そして、図１（Ｂ），（Ｃ）に示すように、プリント配線基板１５の、この遊端とされている側に、アンテナ給電点が設けられており、このアンテナ給電点に対して、棒状アンテナ１０Ａが接続されて、プリント配線基板１５に対して固定されている。
【００２７】
そして、このような構成の回路構成部品１４が、筐体本体１２内に、棒状アンテナ１０Ａが、アンテナカバー部１１内に収容されるように収められる。このとき、プリント配線基板１５の、棒状アンテナ１０Ａが接続されている遊端側の左右の端縁は、筐体本体１２内に形成されている嵌合凹溝に嵌合して係止するように構成されている。
【００２８】
すなわち、棒状アンテナ１０Ａが接続されているプリント配線基板１５の遊端側の端縁が位置する筐体本体１２内の、正面方向から見て左右の位置には、図４および図５（Ｂ），（Ｃ）に示すように、それぞれ、プリント配線基板１５の基板面とは直交する方向に沿って、かつ、前記プリント配線基板１５の遊端と嵌合する嵌合凹溝を形成するように、２個の薄板状突片１２７Ｌ、１２８Ｌおよび２個の薄板状突片１２７Ｒ，１２７Ｒが、設けられている。
【００２９】
そして、プリント配線基板１５の遊端側の左右の端縁が、２個の薄板状突片１２７Ｌ、１２８Ｌで形成される嵌合凹溝と、２個の薄板状突片１２７Ｒ、１２８Ｒで形成される嵌合凹溝とに、がたつかない程度に緩く嵌合されて、プリント配線基板１５が固定された配線基板保持部１６全体が係止されるようにされる。
【００３０】
そして、このようにして筐体本体１２に収納された回路構成部品１４は、その配線基板保持部１６が、筐体本体１２に、図１（Ａ）、図３（Ｃ）および図４に示すようにして、筐体本体１２の背面側から、ねじ４４が貫通孔１６２内にねじ込まれてねじ止めされることにより、筐体本体１２に対して固定される。
【００３１】
こうして筐体本体１２内に、回路構成部品１４が固定された後、筐体カバー１３が筐体本体１２に嵌合されて、図３（Ａ）、（Ｃ）に示すように、ねじ３５が筐体本体１２の正面側から配線基板保持部１６の貫通孔１６２にねじ込まれるにより、当該筐体カバー１３が、配線基板保持部１６にねじ止めされて、筐体本体１２に対して固定される。
【００３２】
この実施形態においては、無線通信装置１０の筐体は、細長形状のプリント配線基板１５を収納するために、アンテナカバー部１１の延長方向（プリント配線基板１５の長手方向）を長手方向とした箱型形状をしているが、アンテナカバー部１１を除く筐体本体１２の、その長手方向の中間部には、筐体本体１２の左右の側面から外方に突出するようにして、壁面への取り付け部１２１および１２２が設けられている。すなわち、取り付け部１２１，１２２は、プリント配線基板１５の短辺方向を挟む両側に設けられる。
【００３３】
この２個の取り付け部１２１および１２２は、図１（Ａ）、図３、図４および図５に示すように、無線通信装置１０の筐体の背面側に設けられており、取り付け部１２１および１２２には、無線通信装置１０の筐体の背面側の面に対して垂直な方向に取り付け用貫通孔１２３および１２４が穿かれている。取り付け用貫通孔１２３および１２４の径は、壁面への取り付け用のねじが貫通する大きさとされている。
【００３４】
無線通信装置１０を壁面２に取り付けて固定する場合には、無線通信装置１０の背面側を壁面２に対接させた状態で、この２個の取り付け部１２１，１２２の貫通孔１２３，１２４に、取り付け用ねじを通して、この取り付け用ねじにより、無線通信装置１０を壁面にねじ止め固定する。
【００３５】
以上のようにして、この実施形態では、プリント配線基板１５は、筐体本体１２に直接取り付け固定されるのではなく、配線基板保持部１６に、その長手方向の一側が取り付け固定されている。そして、プリント配線基板１５が固定された配線基板保持部１６が筐体本体１２に固定されるようにされている。
【００３６】
したがって、筐体本体１２に加わる外力は、配線基板保持部１６により吸収されて、プリント配線基板１５には、直接的には加わらないようになる。
【００３７】
しかも、この実施形態においては、配線基板保持部１６は、プリント配線基板１５の長手方向の一側において、１箇所において、筐体本体１２に対して取り付け固定されていると共に、プリント配線基板１５の長手方向の遊端とされている端縁が、筐体本体１２に形成されている凹溝に、緩く嵌合して係止するようにされている。
【００３８】
例えばプリント配線基板１５の全体を、例えばその４隅で固定するようにして、配線基板保持部１６に取り付け固定した状態で、配線基板保持部１６を、筐体本体１２に対して、同様に、４隅で取り付け固定するような状態では、筐体本体１２と、配線基板保持部１６と、プリント配線基板１５の一体感が強く、筐体本体１２に加わる外力の影響を、プリント配線基板１５がそのまま受けやすくなる。
【００３９】
しかし、この実施形態では、上述のような構造であって、配線基板保持部１６と筐体本体１２との直接的な結合固定部は、１箇所であるので、筐体本体１２に加わる外力が、配線基板保持部１６には加わりにくい。したがって、筐体本体１２に外力が加わっていても、プリント配線基板１５には、これを撓ませるような外力が加わりにくい。
【００４０】
さらに、この実施形態では、無線通信装置１０の壁面への取り付け部は、プリント配線基板１５の短辺方向の両側となっている。このため、プリント配線基板１５の長手方向の両側で、無線通信装置１０が壁面に取り付け固定される場合よりも、プリント配線基板１５を撓ませる外力は小さくなり、この点でも、プリント配線基板１５に対する外力の影響を軽減することができる。
【００４１】
以上のように、この実施形態によれば、無線通信装置１０をそのまま壁面に直接に取り付け固定したとしても、無線通信装置１０の筐体が受ける外力が、プリント配線基板に対して悪影響を与えるのを軽減することができる。しかし、この実施形態では、次のようにして、さらに、無線通信装置１０の筐体自身が受ける外力を軽減することより、よりプリント配線基板に対する外力の影響を少なくなるようにする。
【００４２】
すなわち、この実施形態においては、図６に示すようなブラケット部材２０を、図７および図８に示すようにして、壁面と無線通信装置１０の筐体との間に介挿するようにすることで、無線通信装置１０の筐体が受ける外力を小さくするようにする。
【００４３】
［ブラケット部材２０］
この実施形態で用いるブラケット部材２０の構造を、図６に示す。図６（Ａ）は、ブラケット部材２０を壁面に取り付けたときに、壁面に直交する方向（壁面に対するブラケット部材２０の取り付け方向）から見た図であり、この明細書では、これをブラケット部材２０の正面図とする。図６（Ｂ）は、ブラケット部材２０の側面図、図６（Ｃ）は、ブラケット部材２０の背面図、図６（Ｄ）は、ブラケット部材２０の底面図である。そして、図６（Ｅ）は、ブラケット部材２０の斜視図である。
【００４４】
このブラケット部材２０は、通常は、図６（Ｃ）に示す背面側を壁面に対接させて、壁面に取り付けられる。ただし、図６（Ａ）の正面側を壁面に対接させて、ブラケット部材２０を壁面に取り付けることも可能である。
【００４５】
この実施形態のブラケット部材２０は、無線通信装置１０の筐体と同様の、非磁性体材料である樹脂により構成されており、図６から分かるように、概観としては、ほぼ直方体形状をしている。そして、ブラケット部材２０は、前記直方体形状の長辺方向（長手方向）の一端側から他端側に渡って、短辺方向の中央部が矩形状に大きく穿かれた形状の凹部２１を備えるものとされている。
【００４６】
この凹部２１の存在により、ブラケット部材２０は、その長辺方向に沿って、短辺方向の両側に、２個の矩形状壁部２２，２３を備える構成となっている。この２個の矩形状壁部２２，２３の正面側の平面２２ａ，２３ａは、ブラケット部材２０の背面２０１と平行とされており、図６（Ｂ）および（Ｄ）に示すように、前記背面２０１からの距離（ブラケット部材２０の高さ）がｈとされている。
【００４７】
この距離ｈは、通常の壁内の鉄筋の存在や、他の電子機器や電気機器から壁を貫通して漏洩する電磁波の影響を抑えて、無線通信装置１０のアンテナ１０Ａの無線通信性能が、十分に保たれるように、無線通信装置１０のアンテナ１０Ａを壁面から離間させるようにする値に選定されている。
【００４８】
発明者の研究によると、一般的には、アンテナ１０Ａを壁面から４〜５センチメートル離間させると、殆どの場合、アンテナ１０Ａの無線通信性能が十分に保たれることが分かっている。
【００４９】
そこで、ブラケット部材２０の高さｈは、無線通信装置１０におけるアンテナ１０Ａの位置を考慮して、アンテナ１０Ａを壁面から４〜５センチメートル離間させることができるような値とされている。
【００５０】
この実施形態のブラケット部材２０は、背面側に位置する凹部２１の底部の、前記長辺方向の一端および他端において、当該ブラケット部材２０を壁面２にねじ止め固定するためのねじ孔２１１および２１２を備える。つまり、ブラケット部材２０は、長手方向の一端および他端において、短辺方向の中央の位置を、壁面に対する固定位置としている。
【００５１】
そして、この実施形態のブラケット部材２０には、無線通信装置１０の筐体本体１２に設けられている２個の取り付け部１２１，１２２に対応するように、２個の矩形状壁部２２．２３の長手方向の中央部から外方に突出するようにして、無線通信装置の取り付け部２４，２５が設けられている。
【００５２】
この２個の第１の取り付け部２４，２５は、図６（Ｄ）および（Ｅ）に示すように、平面２２ａ，２３ａと面一の平面２４ａ，２５ａを備えると共に、ブラケット部材２０の高さ方向の全体に渡って背面側まで延長されて形成されている。
【００５３】
そして、この取り付け部２４，２５には、ブラケット部材２０の正面側から背面側に貫通する貫通孔２４１，２５１が形成されている。この２個の貫通孔２４１および２５１間の距離は、無線通信装置１０の筐体本体１２の取り付け部１２１および１２２の貫通孔１２３および１２４間の距離ｄ（図３（Ａ）参照）と等しい距離とされている。この貫通孔２４１，２５１の径は、取り付け用ねじがねじ込まれる大きさとされている。
【００５４】
また、この実施形態のブラケット部材２０は、同一構造の他のブラケット部材２０を、高さ方向に積み上げて結合することができる構造を備える。アンテナ１０Ａを、壁面からより離間させるようにして、壁面を通じて漏洩する電磁波などの影響を、より軽減することができるようにするためである。
【００５５】
すなわち、この実施形態のブラケット部材２０においては、正面側から見て、左側の矩形状壁部２２の長手方向の一端および他端には、正面側から背面側に渡って貫通する貫通孔２２１および２２２が設けられる。この実施形態においては、この２個の貫通孔２２１，２２２間の距離も、前記ｄと等しく選定されている。この２個の貫通孔２２１，２２２も、ねじ３３，３４がねじ込まれる径とされている。
【００５６】
一方、ブラケット部材２０の右側の矩形状壁部２３の長手方向の一端および他端においては、凹部２１の底部と面一となる位置まで壁部２３の内側（凹部２１側）がＵ字状に穿かれ、かつ、凹部２１の底面と面一となる部分に、背面側まで貫通する貫通孔２３１および２３２が設けられる。この場合、この２個の貫通孔２３１，２３２間の距離も、前記ｄと等しく選定されている。この２個の貫通孔２３１，２３２の径は、取り付けねじと同じ径のねじが貫通する大きさとされている。
【００５７】
この場合、貫通孔２２１，２２２の形成位置と、貫通孔２３１，２３２の形成位置は、ブラケット部材２０の長手方向の端部からの距離が等しくなる、互いに対応する位置とされる。つまり、あるブラケット部材２０の正面側の面の上に、他のブラケット部材２０を１８０度回転させた状態で、その背面側を対接させたときに、貫通孔２２１と貫通孔２３２とが同じ位置となり、かつ、貫通孔２２２と貫通孔２３１とが同じ位置となって重なり合うように構成されている。
【００５８】
さらに、この実施形態では、左側の矩形状壁部２２の長手方向の中央位置においては、凹部２１の底部と面一となる位置まで壁部２３の内側（凹部２１側）がＵ字状に穿かれ、かつ、凹部２１の底面と面一となる部分に、背面側まで貫通する貫通孔２２３が設けられている。この貫通孔２２３の径は、取り付けねじと同じ径のねじが貫通する大きさとされている。
【００５９】
また、右側の矩形状壁部２３の長手方向の対応する中央位置には、正面側から背面側に渡って貫通する貫通孔２３３が形成されている。この貫通孔２３３の径は、取り付けねじと同じ径のねじがねじ込まれる大きさとなっている。
【００６０】
そして、この場合、あるブラケット部材２０の正面側の面の上に、他のブラケット部材２０を、凹部２１の中心を通る高さ方向に回転軸を仮想したときその回転軸を中心に１８０度回転させた状態で、その背面側を対接させたときには、貫通孔２２３と貫通孔２３３とが同じ位置となるように構成されている。
【００６１】
以上のような構成により、あるブラケット部材２０の正面側の面に、他のブラケット部材２０を、前記のように１８０度回転させた状態で、その背面側を対接させたときには、貫通孔２２１と貫通孔２３２とが同じ位置となり、また、貫通孔２２２と貫通孔２３１とが同じ位置となり、さらに、貫通孔２２３と貫通孔２３３とが同じ位置となって重なり合う。
【００６２】
したがって、同じ位置となっている貫通孔同士を通して、ねじ３３，３４と同じねじをねじ込んで、２個のブラケット部材２０同士を高さ方向に重ねて結合することができる。さらに、同様にして、他のブラケット部材２０高さ方向に重ねて結合することにより、３個以上のブラケット部材２０を、高さ方向に結合することが可能である。その場合には、結合するブラケット部材２０同士は、互いに前記のように１８０度回転させた状態にする必要があるのは、前述した通りである。
【００６３】
［ブラケット部材２０を用いた無線通信装置１０の壁面２への固定方法］
図６に示すように、ブラケット部材２０の凹部２１の貫通孔２１１，２１２が鉛直方向に並ぶようにして、ブラケット部材２０の背面２０１側を壁面に対接させ、取り付けねじ３１，３２を、凹部２１の底面の貫通孔２１１および２１２をそれぞれ通して、壁面にねじ込んで、ブラケット部材２０を壁面に固定する。
【００６４】
次に、ブラケット部材２０の正面側の、第１の取り付け部２４，２５の平面２４ａ，２５ａに、無線通信装置１０の取り付け部１２１および１２２の背面側を対接させて、貫通孔１２３，１２４と、貫通孔２４１，２５１とが同じ位置となるように位置合わせをした後、ねじ３３，３４を、貫通孔１２３，１２４を通して貫通孔２４１，２５１にねじ込む。すると、無線通信装置１０は、ブラケット部材２０に固定される。
【００６５】
ブラケット部材２０は、壁面に固定されているので、これにより、無線通信装置１０は、壁面に固定される。この場合、ブラケット部材２０の高さｈ分だけ、壁面２から離間された状態で、壁面に固定されることになり、無線通信装置１０の無線通信性能の劣化の問題があったとしても、これを回避することが可能である。
【００６６】
図８（Ａ）は、ブラケット部材２０を介挿した状態で無線通信装置１０を壁面２に対して固定した状態を、壁面２に直交する方向から見た図であり、また、図８（Ｂ）は、その固定状態を壁面２に沿う方向から見た図である。図８（Ａ）では、ブラケット部材２０は点線で示している。
【００６７】
以上のようにして、この実施形態では、ブラケット部材２０を介挿した状態で、無線通信装置１０の筐体を壁面に取り付け固定することができる。したがって、壁面がゆがんでしたりして、無線通信装置１０の筐体を直接に壁面に取り付け固定した場合に、そのゆがみによる外力が無線通信装置１０の筐体に、そのまま加わってしまうが、この実施形態では、そのゆがみがブラケット部材２０で吸収されるので、無線通信装置の筐体に加わる外力を軽減することができる。
【００６８】
なお、上述したように、ブラケット部材２０は、複数個を重ね合わせて結合することができる構造とされており、１個のブラケット部材２０では、上記の無線通信性能の劣化の問題を回避できるだけの壁面２０からの離間距離が稼げないときには、複数個のブラケット部材２０を無線通信装置１０と壁面２との間に介挿させるようにして、無線通信装置１０を壁面２に固定するようにすることにより、確実に、無線通信性能の劣化の問題を回避できる。そして、その場合には、壁面のゆがみによる外力が、より影響を受けにくくなるという効果もある。
【００６９】
なお、この実施形態では、２個の取り付け部１２１，１２２は、無線通信装置１０の筐体の背面側に突出するようなものとなっているが、図１（Ａ）、図３（Ｂ）および図４に示すように、筐体の背面側には、この２個の取り付け部１２１，１２２と同じ高さ分だけ、背面側から突出する突出部１２５，１２６などが形成され、これらの突出部１２５，１２６なども壁面およびブラケット部２０の面に対接して、安定に無線通信装置１０の筐体を固定できるようにしている。
【００７０】
上述の説明では、ブラケット部材２０は、壁面に取り付け固定するとき、凹部２１の貫通孔２１１，２１２を鉛直方向に並ぶようにして、ブラケット部材２０の背面側を壁面に対接させ、無線通信装置１０の取り付け部１２１，１２２を、ブラケット部材２０の取り付け部２４，２５に対して取り付けるようにしたが、この実施形態のブラケット部材２０においては、次のような取り付け方法を採用することもできる。
【００７１】
第１の方法は、ブラケット部材２０の凹部２１の貫通孔２１１，２１２を水平方向に並ぶようにして、ブラケット部材２０の背面側を壁面に対接させた状態で、ブラケット部材２０を壁面に取り付け固定する。つまり、ブラケット部材２０を、前述の図６および図７の場合とは、９０回転させた状態で壁面に取り付け固定する。
【００７２】
次に、無線通信装置１０の取り付け部１２１，１２２の貫通孔１２３，１２４と、ブラケット部材２０の貫通孔２２１，２２２とを位置合わせして、ブラケット部材２０の正面側面に無線通信装置１０の背面側を対接させ、ねじ３３，３４により、ブラケット部材２０に対して無線通信装置１０を取り付け固定する。
【００７３】
第２の方法は、上述の例では、すべてブラケット部材２０の背面側を壁面に対接させた場合であるのに対して、ブラケット部材２０の正面側を壁面に対接させる方法である。この場合には、ブラケット部材２０を壁面に取り付けるときに長いねじが必要となる。しかし、貫通孔２２１，２２２，２２３，２３１、２３２，２３３，２４１，２５１の位置関係は、背面側と正面側とで同じになるので、無線通信装置１０の背面側と、ブラケット部材２０の背面側とが対接する状態になる点が異なるだけで、上述した取り付け方法と同様にして、無線通信装置１０を取り付け固定することが可能である。
【００７４】
この第２の方法によれば、取り付ける壁面に凹凸が存在しているときに、凹部２１により、その凹凸部分を回避するようにして、無線通信装置１０を、ブラケット部材２０を介挿して壁面に取り付け固定することができる。
【００７５】
［他の実施形態および変形例］
上述の実施形態では、プリント配線基板１５の長手方向の一側を、配線基板保持部１６に固定するようにしたが、配線基板保持部１６に対するプリント配線基板１５の固定位置は、この位置に限られるものではない。例えば、プリント配線基板１５の短辺方向の一側を固定するようにしても良い。
【００７６】
また、プリント配線基板１５の長手方向の両側および／または短辺方向の両側で、配線基板保持部１６に固定するようにしても良い。この場合には、配線基板保持部が１個の位置で筐体に対して固定される位置に対して、プリント配線基板を固定した状態の配線基板保持部の全体を係止するためには、プリント配線基板の遊端部を係止するのではなく、配線基板保持部を係止させる係止部を、筐体内に設けるようにしても良い。
【００７７】
また、上述の実施形態は、電子装置が、プロパンガスの使用量を検針センターに無線送信する無線通信装置の場合であるが、この発明は、これに限られるものではなく、壁面などの所定の場所に取り付けられて使用される電子装置のすべてに適用可能である。
【図面の簡単な説明】
【００７８】
【図１】この発明による電子装置の実施形態を説明するための図である。
【図２】この発明による電子装置の実施形態が使用されるシステムの構成例を示すブロック図である。
【図３】この発明による電子装置の実施形態の概観の例を示す図である。
【図４】図３の電子装置の実施形態のＡ−Ａ線断面図である。
【図５】この発明による電子装置の実施形態を説明するための図である。
【図６】ブラケット部材の実施形態の構成例を説明するための図である。
【図７】この発明による電子装置の実施形態を、ブラケット部材を用いて壁面に取り付ける状態を説明するための図である。
【図８】この発明による電子装置の実施形態を、ブラケット部材を用いて壁面に取り付けた状態を示す図である。
【符号の説明】
【００７９】
１０…無線通信装置、１２…筐体本体、１３…筐体カバー、１５…プリント配線基板、１６…配線基板保持部、２０…ブラケット部材、２１…凹部、２４，２５…無線通信装置の取り付け部、３１，３２，３３，３４，３５および４１，４２，４３，４４…ねじ、１２１，１２２…無線通信装置の取り付け部、２１１，２１２…ブラケット部材の壁面への取り付け用貫通孔、１６２、２２１，２２２，２２３，２３１、２３２，２３３，２４１，２５１…貫通孔
【図１】
2008091423.tif 000003
【図２】
2008091423.tif 000004
【図３】
2008091423.tif 000005
【図４】
2008091423.tif 000006
【図５】
2008091423.tif 000007
【図６】
2008091423.tif 000008
【図７】
2008091423.tif 000009
【図８】
2008091423.tif 000010